(57)【要約】  無線通信方法は、ＰＤＣＰレイヤに対応するＰＤＣＰエンティティがＰＤＣＰ  ＰＤＵを生成することと、プライマリＲＬＣエンティティが、ＰＤＣＰ  ＰＤＵを送信することと、プライマリＲＬＣエンティティがＰＤＣＰ  ＰＤＵの送信に失敗したことに基づいて、プライマリＲＬＣエンティティがＰＤＣＰ  ＰＤＵを再送するとともに、セカンダリＲＬＣエンティティがＰＤＣＰ  ＰＤＵを送信することにより、プライマリＲＬＣエンティティ及びセカンダリＲＬＣエンティティが同一のＰＤＣＰ  ＰＤＵの重複送信を行うことと、を含む。
2020090442.tif 000002
【特許請求の範囲】
【請求項１】
移動通信システムに用いる無線通信方法であって、
ＰＤＣＰレイヤに対応するＰＤＣＰエンティティがパケットを生成することと、
第１の送信エンティティが、前記パケットを送信することと、
前記第１の送信エンティティが前記パケットの送信に失敗したことに基づいて、前記第１の送信エンティティが前記パケットを再送するとともに、前記第１の送信エンティティとは異なる第２の送信エンティティが前記パケットを送信することにより、前記第１及び第２の送信エンティティが同一の前記パケットの重複送信を行うことと、を含み、
前記第１及び第２の送信エンティティは、前記ＰＤＣＰレイヤよりも下位のレイヤに対応するエンティティである
無線通信方法。
【請求項２】
前記第１の送信エンティティは、第１のキャリアに対応する伝送パスを介して前記パケットを受信側に送信し、
前記第２の送信エンティティは、前記第１のキャリアとは異なる第２のキャリアに対応する伝送パスを介して前記パケットを前記受信側に送信する
請求項１に記載の無線通信方法。
【請求項３】
前記第１及び第２の送信エンティティは、ＲＬＣレイヤに対応するエンティティである
請求項１に記載の無線通信方法。
【請求項４】
前記ＰＤＣＰエンティティが、前記生成されたパケットを保持することと、
前記ＰＤＣＰエンティティが、前記第１の送信エンティティが前記パケットの送信に失敗したことに応じて、前記保持されたパケットを前記第２の送信エンティティに提供することと、をさらに含み、
前記重複送信することにおいて、前記第２の送信エンティティは、前記ＰＤＣＰエンティティから提供された前記パケットを送信する
請求項１に記載の無線通信方法。
【請求項５】
前記第１の送信エンティティが、送信に失敗した前記パケットのシーケンス番号を含むＮＡＣＫ情報を前記ＰＤＣＰエンティティに通知することをさらに備える
請求項４に記載の無線通信方法。
【請求項６】
前記ＰＤＣＰエンティティが、前記生成されたパケットを前記第１及び第２の送信エンティティの両方に提供することと、
前記第２の送信エンティティが、前記ＰＤＣＰエンティティから提供された前記パケットを保持することと、をさらに含み、
前記重複送信することにおいて、前記第２の送信エンティティは、前記第１の送信エンティティが前記パケットの送信に失敗したことに応じて、前記保持されたパケットを送信する
請求項１に記載の無線通信方法。
【請求項７】
前記第１の送信エンティティが、送信に失敗した前記パケットのシーケンス番号を含むＮＡＣＫ情報を前記第２の送信エンティティに通知することをさらに含む
請求項６に記載の無線通信方法。
【請求項８】
前記第１の送信エンティティが、送信に成功した前記パケットのシーケンス番号を含むＡＣＫ情報を前記第２の送信エンティティに通知することと、
前記第２の送信エンティティが、前記ＡＣＫ情報の通知に応じて、前記保持されたパケットを破棄することと、をさらに含む
請求項６に記載の無線通信方法。
【請求項９】
前記第２の送信エンティティが、前記パケットを保持した際にタイマを開始することと、
前記第２の送信エンティティが、前記タイマが満了したことに応じて、前記保持されたパケットを破棄することと、をさらに含む、
請求項６に記載の無線通信方法。
【請求項１０】
前記第１の送信エンティティが前記パケットの送信に失敗した回数をカウントすることをさらに含み、
前記重複送信することにおいて、前記回数が所定回数に達した場合に、前記重複送信を行う
請求項１に記載の無線通信方法。
【請求項１１】
前記重複送信することにおいて前記第１の送信エンティティが前記パケットの再送に失敗し且つ前記第２の送信エンティティが前記パケットの送信に成功した場合に、次のパケットを前記第２の送信エンティティが送信することをさらに含む
請求項１に記載の無線通信方法。
【請求項１２】
前記ＰＤＣＰエンティティと前記第１及び第２の送信エンティティとが１つのユーザ装置に設けられる
請求項１に記載の無線通信方法。
【請求項１３】
前記ＰＤＣＰエンティティと前記第１及び第２の送信エンティティとが１つの基地局に設けられる
請求項１に記載の無線通信方法。
【請求項１４】
前記ＰＤＣＰエンティティと前記第１の送信エンティティとが第１の基地局に設けられるとともに、前記第２の送信エンティティが前記第１の基地局とは異なる第２の基地局に設けられる
請求項１に記載の無線通信方法。
【請求項１５】
移動通信システムに用いる装置であって、
ＰＤＣＰレイヤに対応しており、パケットを生成するＰＤＣＰエンティティと、
前記パケットを送信する第１の送信エンティティと、
前記第１の送信エンティティとは異なる第２の送信エンティティと、を備え、
前記第１及び第２の送信エンティティは、前記ＰＤＣＰレイヤよりも下位のレイヤに対応するエンティティであり、
前記第１の送信エンティティが前記パケットの送信に失敗したことに基づいて、前記第１の送信エンティティが前記パケットを再送するとともに、前記第２の送信エンティティが前記パケットを送信することにより、前記第１及び第２の送信エンティティが同一の前記パケットの重複送信を行う
装置。
【発明の詳細な説明】
【技術分野】
【０００１】
本発明は、移動通信システムに用いる無線通信方法及び装置に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）規格に基づく移動通信システムにおいて、超信頼性及び低遅延通信（ＵＲＬＬＣ：Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ）サービスをサポートするための機能の一つとして、同一パケットの重複送信を行う重複送信（Ｐａｃｋｅｔ  Ｄｕｐｌｉｃａｔｉｏｎ）が導入されている。
【先行技術文献】
【非特許文献】
【０００３】
【非特許文献１】３ＧＰＰ技術仕様書  「ＴＳ３８．３００  Ｖ１５．３．０」  ２０１８年９月、インターネット＜ＵＲＬ：  ｈｔｔｐ：／／ｗｗｗ．３ｇｐｐ．ｏｒｇ／ｆｔｐ／／Ｓｐｅｃｓ／ａｒｃｈｉｖｅ／３８＿ｓｅｒｉｅｓ／３８．３００／３８３００−ｆ３０．ｚｉｐ＞
【発明の概要】
【０００４】
第１の態様に係る無線通信方法は、移動通信システムに用いる無線通信方法であって、ＰＤＣＰレイヤに対応するＰＤＣＰエンティティがパケットを生成することと、第１の送信エンティティが、前記パケットを送信することと、前記第１の送信エンティティが前記パケットの送信に失敗したことに基づいて、前記第１の送信エンティティが前記パケットを再送するとともに、前記第１の送信エンティティとは異なる第２の送信エンティティが前記パケットを送信することにより、前記第１及び第２の送信エンティティが同一の前記パケットの重複送信を行うことと、を含む。前記第１及び第２の送信エンティティは、前記ＰＤＣＰレイヤよりも下位のレイヤに対応するエンティティである。
【０００５】
第２の態様に係る装置は、移動通信システムに用いる装置であって、ＰＤＣＰレイヤに対応しており、パケットを生成するＰＤＣＰエンティティと、前記パケットを送信する第１の送信エンティティと、前記第１の送信エンティティとは異なる第２の送信エンティティとを備える。前記第１及び第２の送信エンティティは、前記ＰＤＣＰレイヤよりも下位のレイヤに対応するエンティティである。前記第１の送信エンティティが前記パケットの送信に失敗したことに基づいて、前記第１の送信エンティティが前記パケットを再送するとともに、前記第２の送信エンティティが前記パケットを送信することにより、前記第１及び第２の送信エンティティが同一の前記パケットの重複送信を行う。
【図面の簡単な説明】
【０００６】
【図１】一実施形態に係る移動通信システムの構成を示す図である。
【図２】一実施形態に係るユーザ装置の構成を示す図である。
【図３】一実施形態に係る基地局の構成を示す図である。
【図４】一実施形態に係るユーザプレーンの無線インターフェイスのプロトコルスタックの構成を示す図である。
【図５】一実施形態に係る制御プレーンの無線インターフェイスのプロトコルスタックの構成を示す図である。
【図６】一実施形態に係る重複送信の第１の構成例を示す図である。
【図７】一実施形態に係る重複送信の第２の構成例を示す図である。
【図８】一実施形態に係る動作例１を示す図である。
【図９】一実施形態に係る動作例２を示す図である。
【図１０】その他の実施形態に係る重複送信の構成例を示す図である。
【発明を実施するための形態】
【０００７】
重複送信は、通信の信頼性を高めることができるものの、送信に用いる無線リソースの使用量が、重複送信をしない場合に比べて倍増するため、無線リソースの利用効率を向上させる点において改善の余地があった。
【０００８】
そこで、本開示は、通信の信頼性を高めつつ、無線リソースの利用効率を向上させる。
【０００９】
図面を参照しながら、一実施形態に係る移動通信システムについて説明する。図面の記載において、同一又は類似の部分には同一又は類似の符号を付している。
【００１０】
（移動通信システムの構成）
まず、一実施形態に係る移動通信システムの構成について説明する。図１は、一実施形態に係る移動通信システムの構成を示す図である。この移動通信システムは、３ＧＰＰ規格の第５世代（５Ｇ）システムに準拠する。以下において、５Ｇシステムを例に挙げて説明するが、移動通信システムにはＬＴＥ（Ｌｏｎｇ  Ｔｅｒｍ  Ｅｖｏｌｕｔｉｏｎ）システムが少なくとも部分的に適用されてもよい。
【００１１】
図１に示すように、移動通信システムは、ユーザ装置（ＵＥ：Ｕｓｅｒ  Ｅｑｕｉｐｍｅｎｔ）１００と、５Ｇの無線アクセスネットワーク（ＮＧ−ＲＡＮ：Ｎｅｘｔ  Ｇｅｎｅｒａｔｉｏｎ  Ｒａｄｉｏ  Ａｃｃｅｓｓ  Ｎｅｔｗｏｒｋ）１０と、５Ｇのコアネットワーク（５ＧＣ：５Ｇ  Ｃｏｒｅ  Ｎｅｔｗｏｒｋ）２０とを有する。
【００１２】
ＵＥ１００は、移動可能な装置である。ＵＥ１００は、ユーザにより利用される装置であればどのような装置であっても構わないが、例えば、ＵＥ１００は、携帯電話端末（スマートフォンを含む）やタブレット端末、ノートＰＣ、通信モジュール（通信カード又はチップセットを含む）、センサ若しくはセンサに設けられる装置、車両若しくは車両に設けられる装置（Ｖｅｈｉｃｌｅ  ＵＥ）、飛行体若しくは飛行体に設けられる装置（Ａｅｒｉａｌ  ＵＥ）である。
【００１３】
ＮＧ−ＲＡＮ１０は、基地局（５Ｇシステムにおいて「ｇＮＢ」と呼ばれる）２００を含む。ｇＮＢ２００は、基地局間インターフェイスであるＸｎインターフェイスを介して相互に接続される。ｇＮＢ２００は、１又は複数のセルを管理する。ｇＮＢ２００は、自セルとの接続を確立したＵＥ１００との無線通信を行う。ｇＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として用いられる。「セル」は、ＵＥ１００との無線通信を行う機能又はリソースを示す用語としても用いられる。１つのセルは１つのキャリア周波数に属する。
【００１４】
なお、ｇＮＢがＬＴＥのコアネットワークであるＥＰＣ（Ｅｖｏｌｖｅｄ  Ｐａｃｋｅｔ  Ｃｏｒｅ）に接続することもできる。ＬＴＥの基地局が５ＧＣに接続することもできる。ＬＴＥの基地局とｇＮＢとが基地局間インターフェイスを介して接続されることもできる。
【００１５】
５ＧＣ２０は、ＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）及びＵＰＦ（Ｕｓｅｒ  Ｐｌａｎｅ  Ｆｕｎｃｔｉｏｎ）３００を含む。ＡＭＦは、ＵＥ１００に対する各種モビリティ制御等を行う。ＡＭＦは、ＮＡＳ（Ｎｏｎ−Ａｃｃｅｓｓ  Ｓｔｒａｔｕｍ）シグナリングを用いてＵＥ１００と通信することにより、ＵＥ１００が在圏するトラッキングエリア（ＴＡ）の情報を管理する。トラッキングエリアは、複数のセルからなるエリアである。ＵＰＦは、データの転送制御を行う。ＡＭＦ及びＵＰＦは、基地局−コアネットワーク間インターフェイスであるＮＧインターフェイスを介してｇＮＢ２００と接続される。
【００１６】
図２は、ＵＥ１００（ユーザ装置）の構成を示す図である。
【００１７】
図２に示すように、ＵＥ１００は、受信部１１０、送信部１２０、及び制御部１３０を備える。
【００１８】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。
【００１９】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。
【００２０】
制御部１３０は、ＵＥ１００における各種の制御を行う。制御部１３０は、少なくとも１つのプロセッサ及び少なくとも１つのメモリを含む。メモリは、プロセッサにより実行されるプログラム、及びプロセッサによる処理に用いられる情報を記憶する。プロセッサは、ベースバンドプロセッサと、ＣＰＵ（Ｃｅｎｔｒａｌ  Ｐｒｏｃｅｓｓｉｎｇ  Ｕｎｉｔ）と、を含んでもよい。ベースバンドプロセッサは、ベースバンド信号の変調・復調及び符号化・復号等を行う。ＣＰＵは、メモリに記憶されるプログラムを実行して各種の処理を行う。
【００２１】
図３は、ｇＮＢ２００（基地局）の構成を示す図である。
【００２２】
図３に示すように、ｇＮＢ２００は、送信部２１０、受信部２２０、制御部２３０、及びバックホール通信部２４０を備える。
【００２３】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。
【００２４】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。
【００２５】
制御部２３０は、ｇＮＢ２００における各種の制御を行う。制御部２３０は、少なくとも１つのプロセッサ及び少なくとも１つのメモリを含む。メモリは、プロセッサにより実行されるプログラム、及びプロセッサによる処理に用いられる情報を記憶する。プロセッサは、ベースバンドプロセッサと、ＣＰＵと、を含んでもよい。ベースバンドプロセッサは、ベースバンド信号の変調・復調及び符号化・復号等を行う。ＣＰＵは、メモリに記憶されるプログラムを実行して各種の処理を行う。
【００２６】
バックホール通信部２４０は、基地局間インターフェイスを介して隣接基地局と接続される。バックホール通信部２４０は、基地局−コアネットワーク間インターフェイスを介してＡＭＦ／ＵＰＦ３００と接続される。なお、ｇＮＢは、ＣＵ（Ｃｅｎｔｒａｌ  Ｕｎｉｔ）とＤＵ（Ｄｉｓｔｒｉｂｕｔｅｄ  Ｕｎｉｔ）とで構成され（すなわち、機能分割され）、両ユニット間はＦ１インターフェイスで接続されてもよい。
【００２７】
図４は、データを取り扱うユーザプレーンの無線インターフェイスのプロトコルスタックの構成を示す図である。
【００２８】
図４に示すように、ユーザプレーンの無線インターフェイスプロトコルは、物理（ＰＨＹ）レイヤと、ＭＡＣ（Ｍｅｄｉｕｍ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、ＳＤＡＰ（Ｓｅｒｖｉｃｅ  Ｄａｔａ  Ａｄａｐｔａｔｉｏｎ  Ｐｒｏｔｏｃｏｌ）レイヤとを有する。
【００２９】
ＰＨＹレイヤは、符号化・復号、変調・復調、アンテナマッピング・デマッピング、及びリソースマッピング・デマッピングを行う。ＵＥ１００のＰＨＹレイヤとｇＮＢ２００のＰＨＹレイヤとの間では、物理チャネルを介してデータ及び制御情報が伝送される。
【００３０】
ＭＡＣレイヤは、データの優先制御、ハイブリッドＡＲＱ（ＨＡＲＱ）による再送処理、及びランダムアクセスプロシージャ等を行う。ＵＥ１００のＭＡＣレイヤとｇＮＢ２００のＭＡＣレイヤとの間では、トランスポートチャネルを介してデータ及び制御情報が伝送される。ｇＮＢ２００のＭＡＣレイヤはスケジューラを含む。スケジューラは、上下リンクのトランスポートフォーマット（トランスポートブロックサイズ、変調・符号化方式（ＭＣＳ））及びＵＥ１００への割当リソースブロックを決定する。
【００３１】
ＲＬＣレイヤは、ＭＡＣレイヤ及びＰＨＹレイヤの機能を利用してデータを受信側のＲＬＣレイヤに伝送する。ＵＥ１００のＲＬＣレイヤとｇＮＢ２００のＲＬＣレイヤとの間では、論理チャネルを介してデータ及び制御情報が伝送される。
【００３２】
ＰＤＣＰレイヤは、ヘッダ圧縮・伸張、及び暗号化・復号化を行う。
【００３３】
ＳＤＡＰレイヤは、コアネットワークがＱｏＳ制御を行う単位であるＩＰフローとＡＳ（Ａｃｃｅｓｓ  Ｓｔｒａｔｕｍ）がＱｏＳ制御を行う単位である無線ベアラとのマッピングを行う。なお、ＲＡＮがＥＰＣに接続される場合は、ＳＤＡＰが無くてもよい。
【００３４】
図５は、シグナリング（制御信号）を取り扱う制御プレーンの無線インターフェイスのプロトコルスタックの構成を示す図である。
【００３５】
図５に示すように、制御プレーンの無線インターフェイスのプロトコルスタックは、図４に示したＳＤＡＰレイヤに代えて、ＲＲＣ（Ｒａｄｉｏ  Ｒｅｓｏｕｒｃｅ  Ｃｏｎｔｒｏｌ）レイヤ及びＮＡＳ（Ｎｏｎ−Ａｃｃｅｓｓ  Ｓｔｒａｔｕｍ）レイヤを有する。
【００３６】
ＵＥ１００のＲＲＣレイヤとｇＮＢ２００のＲＲＣレイヤとの間では、各種設定のためのＲＲＣシグナリングが伝送される。ＲＲＣレイヤは、無線ベアラの確立、再確立及び解放に応じて、論理チャネル、トランスポートチャネル、及び物理チャネルを制御する。ＵＥ１００のＲＲＣとｇＮＢ２００のＲＲＣとの間に接続（ＲＲＣ接続）がある場合、ＵＥ１００はＲＲＣコネクティッドモードである。ＵＥ１００のＲＲＣとｇＮＢ２００のＲＲＣとの間に接続（ＲＲＣ接続）がない場合、ＵＥ１００はＲＲＣアイドルモードである。
【００３７】
ＲＲＣレイヤの上位に位置するＮＡＳレイヤは、セッション管理及びモビリティ管理等を行う。ＵＥ１００のＮＡＳレイヤとＡＭＦ３００のＮＡＳレイヤとの間では、ＮＡＳシグナリングが伝送される。
【００３８】
なお、ＵＥ１００は、無線インターフェイスのプロトコル以外にアプリケーションレイヤ等を有する。
【００３９】
（移動通信システムの動作）
次に、一実施形態に係る移動通信システムの動作について説明する。
【００４０】
（１）Ｐａｃｋｅｔ  Ｄｕｐｌｉｃａｔｉｏｎの概要
Ｐａｃｋｅｔ  Ｄｕｐｌｉｃａｔｉｏｎ（以下、重複送信と呼ぶ）の概要について説明する。以下において、同一のＰＤＣＰパケットを２つの独立した伝送パスを用いて二重で送信する一例について主として説明する。重複送信は、同一のＰＤＣＰパケットを３つ以上の独立した伝送パスを用いて３重以上の重複送信を行うものであってもよい。
【００４１】
図６は、重複送信の第１の構成例を示す図である。
【００４２】
図６に示すように、ＵＥ１００及びｇＮＢ２００のそれぞれは、ＳＤＡＰレイヤに対応するＳＤＡＰエンティティ１と、ＰＤＣＰレイヤに対応するＰＤＣＰエンティティ２と、ＲＬＣレイヤに対応するプライマリＲＬＣエンティティ３Ａ及びセカンダリＲＬＣエンティティ３Ｂと、ＭＡＣレイヤに対応するＭＡＣエンティティ４と、ＰＨＹレイヤに対応する複数のＰＨＹエンティティ５Ａ，５Ｂ，・・・とを有する。複数のＰＨＹエンティティ５Ａ，５Ｂ，・・・は、キャリアアグリゲーションにおける複数のキャリア（複数のセル）に対応して設けられる。
【００４３】
ここで、プライマリＲＬＣエンティティ３Ａは第１の送信エンティティの一例であり、セカンダリＲＬＣエンティティ３Ｂは第２の送信エンティティの一例である。第１及び第２の送信エンティティは、ＰＤＣＰレイヤよりも下位のレイヤに対応するエンティティである。
【００４４】
なお、３重以上の重複送信を行う場合、セカンダリＲＬＣエンティティ３Ｂ（第２の送信エンティティ）は２つ以上存在してもよい。このような場合、第１の送信エンティティが複数のセカンダリＲＬＣエンティティのうち１つであり、第２の送信エンティティが他のセカンダリＲＬＣエンティティであってもよい。
【００４５】
これらのエンティティがＵＥ１００に設けられる場合（すなわち、上りリンクにおける重複送信）、ＵＥ１００のプロセッサにより、各エンティティの機能が実現されてもよい。ＰＤＣＰエンティティ２、プライマリＲＬＣエンティティ３Ａ、及びセカンダリＲＬＣエンティティ３Ｂは、ＵＥ１００に設けられる。
【００４６】
一方、これらのエンティティがｇＮＢ２００に設けられる場合（すなわち、下りリンクにおける重複送信）、ｇＮＢ２００のプロセッサにより、各エンティティの機能が実現されてもよい。ＰＤＣＰエンティティ２、プライマリＲＬＣエンティティ３Ａ、及びセカンダリＲＬＣエンティティ３Ｂは、ｇＮＢ２００に設けられる。
【００４７】
ｇＮＢ２００のＲＲＣエンティティ（図示省略）によって無線ベアラ用に重複送信が設定されると、重複して送信するＰＤＣＰパケット（ＰＤＣＰ  ＰＤＵ：ＰＤＣＰ  Ｐｒｏｔｏｃｏｌ  Ｄａｔａ  Ｕｎｉｔ）を処理するために、セカンダリＲＬＣエンティティ３Ｂ及びセカンダリ論理チャネルが無線ベアラに追加される。
【００４８】
重複送信では、同一のＰＤＣＰ  ＰＤＵを、プライマリＲＬＣエンティティ３Ａが送信するとともにセカンダリＲＬＣエンティティ３Ｂが送信する。重複送信は、２つの独立した伝送パスにより信頼性を高め、レイテンシを短縮する。なお、ＰＤＣＰ制御ＰＤＵは重複送信されず、常にプライマリＲＬＣエンティティ３Ａにより送信されてもよい。
【００４９】
重複送信がアクティブ化されている場合、元のＰＤＣＰ  ＰＤＵ及び対応する重複送信は、同じキャリア（同じセル）上で送信されないものとする。元のＰＤＣＰ  ＰＤＵを運ぶ論理チャネル及び対応する重複送信を運ぶ論理チャネルが同じキャリア（同じセル）上で送信されないことを保証するために、論理チャネルのマッピング制限がＭＡＣエンティティ４において用いられる。
【００５０】
一方のＲＬＣエンティティ３がＰＤＣＰ  ＰＤＵの送達を確認すると、ＰＤＣＰエンティティ２は、それを破棄するように他のＲＬＣエンティティ３に指示する。セカンダリＲＬＣエンティティ３ＢがＰＤＣＰ  ＰＤＵの最大再送回数に達すると、ＵＥ１００はそれをｇＮＢ２００に通知するが、ＲＬＦ（Ｒａｄｉｏ  Ｌｉｎｋ  Ｆａｉｌｕｒｅ）はトリガされない。
【００５１】
データ無線ベアラ（ＤＲＢ）の重複送信を設定する場合、ＲＲＣエンティティは初期状態（アクティブ又は非アクティブのいずれか）も設定する。設定後、ｇＮＢ２００からＵＥ１００に送信されるＭＡＣ制御要素によって状態（アクティブ又は非アクティブのいずれか）を動的に制御できる。なお、重複送信がシグナリング無線ベアラ（ＳＲＢ）用に設定されている場合、状態は常にアクティブであってもよい。
【００５２】
図７は、重複送信の第２の構成例を示す図である。第２の例は、デュアルコネクティビティ（ＤＣ）において重複送信が適用される例である。
【００５３】
図７に示すように、ＤＣの場合、ＰＤＣＰエンティティ２及びプライマリＲＬＣエンティティ３ＡがマスタｇＮＢ２００Ａ（第１の基地局）に設けられるとともに、セカンダリＲＬＣエンティティ３ＢがセカンダリｇＮＢ２００Ｂ（第２の基地局）に設けられる。また、マスタｇＮＢ２００ＡのＭＡＣエンティティ４ＡとセカンダリｇＮＢ２００ＢのＭＡＣエンティティ４Ｂとが別々に設けられる。セカンダリｇＮＢ２００Ｂには、複数のキャリア（複数のセル）に対応する複数のＰＨＹエンティティ５ａ，５ｂ，・・・が設けられる。また、ＤＣの場合、ＵＥ１００において、マスタｇＮＢ２００Ａに対応するＭＡＣエンティティとセカンダリｇＮＢ２００Ｂに対応するＭＡＣエンティティとが別々に設けられる（図示省略）。
【００５４】
このように、重複送信（Ｐａｃｋｅｔ  Ｄｕｐｌｉｃａｔｉｏｎ）によれば、同一のＰＤＣＰパケットを２つの独立した伝送パスで重複して送信することにより、通信の信頼性を高めることができる。一方で、送信に用いる無線リソースの使用量が重複送信をしない場合に比べて倍増するため、無線リソースの利用効率を向上させる点において改善の余地がある。
【００５５】
一実施形態において、以下に説明する方法により、通信の信頼性を高めつつ、無線リソースの利用効率を向上させる。
【００５６】
一実施形態に係る無線通信方法では、ＰＤＣＰレイヤに対応するＰＤＣＰエンティティ２がＰＤＣＰパケットを生成し、プライマリＲＬＣエンティティ３Ａが当該ＰＤＣＰパケットを送信する。プライマリＲＬＣエンティティ３ＡがＰＤＣＰパケットの送信に失敗したことに基づいて、プライマリＲＬＣエンティティ３Ａが当該ＰＤＣＰパケットを再送するとともに、セカンダリＲＬＣエンティティ３Ｂが当該ＰＤＣＰパケットを送信することにより、プライマリＲＬＣエンティティ３Ａ及びセカンダリＲＬＣエンティティ３Ｂが同一のＰＤＣＰパケットの重複送信を行う。このような動作は、重複送信が設定及びアクティブ化されており、且つ本動作を行うことがＲＲＣエンティティ等により設定されている場合に限り行われてもよい。
【００５７】
ここで、プライマリＲＬＣエンティティ３Ａは、第１のキャリア（第１の搬送波）に対応する伝送パスを介してＰＤＣＰパケットを受信側に送信する。セカンダリＲＬＣエンティティ３Ｂは、第１のキャリアとは異なる第２のキャリア（第２の搬送波）に対応する伝送パスを介して当該ＰＤＣＰパケットを当該受信側に送信する。
【００５８】
このように、重複送信がアクティブ化されていても、少なくとも１回プライマリＲＬＣエンティティ３ＡがＰＤＣＰパケットの送信に失敗するまでは、プライマリＲＬＣエンティティ３ＡのみがＰＤＣＰパケットを送信する。すなわち、セカンダリＲＬＣエンティティ３Ｂは、プライマリＲＬＣエンティティ３ＡがＰＤＣＰパケットの送信に成功している間は、ＰＤＣＰパケットを送信しない。これにより、送信に用いる無線リソースを節約できる。
【００５９】
そして、少なくとも１回プライマリＲＬＣエンティティ３ＡがＰＤＣＰパケットの送信に失敗すると、プライマリＲＬＣエンティティ３Ａが当該ＰＤＣＰパケットの再送を行うとともに、セカンダリＲＬＣエンティティ３Ｂが同一のＰＤＣＰパケットを送信する。つまり、少なくとも１回プライマリＲＬＣエンティティ３ＡがＰＤＣＰパケットの送信に失敗したことをトリガとして重複送信が開始される。これにより、通信の信頼性を高めることができる。
【００６０】
よって、このような無線通信方法によれば、通信の信頼性を高めつつ、無線リソースの利用効率を向上させることができる。
【００６１】
（２）動作例１
図８は、動作例１を示す図である。
【００６２】
図８に示すように、ステップＳ１０１において、ＰＤＣＰエンティティ２は、ＰＤＣＰ  ＰＤＵ（ＰＤＣＰパケット）を生成し、生成されたＰＤＣＰ  ＰＤＵを保持する。
【００６３】
ステップＳ１０２において、ＰＤＣＰエンティティ２は、ステップＳ１０１で生成されたＰＤＣＰ  ＰＤＵをプライマリＲＬＣエンティティ３Ａに提供する。なお、プライマリＲＬＣエンティティ３Ａは、当該ＰＤＣＰ  ＰＤＵをＲＬＣ  ＳＤＵ（Ｓｅｒｖｉｃｅ  Ｄａｔａ  Ｕｎｉｔ）として受け取る。
【００６４】
ここで、ＰＤＣＰエンティティ２は、重複送信がアクティブ化された場合であっても、プライマリＲＬＣエンティティ３ＡにしかＰＤＣＰ  ＰＤＵを提供しない。換言すれば、ＰＤＣＰエンティティ２は、重複送信がアクティブ化された場合であっても、プライマリＲＬＣエンティティ３ＡにＰＤＣＰ  ＰＤＵを提供し、セカンダリＲＬＣエンティティ３ＢにはＰＤＣＰ  ＰＤＵを提供しない。
【００６５】
ステップＳ１０３において、プライマリＲＬＣエンティティ３Ａは、ＰＤＣＰエンティティ２から提供されたＰＤＣＰ  ＰＤＵを送信（初送）する。具体的には、プライマリＲＬＣエンティティ３Ａは、ＰＤＣＰ  ＰＤＵに対応するＲＬＣ  ＰＤＵをＭＡＣエンティティ４（図７の場合はＭＡＣエンティティ４Ａ）に提供することにより当該ＰＤＣＰ  ＰＤＵを送信する。
【００６６】
ステップＳ１０４において、プライマリＲＬＣエンティティ３Ａは、ステップＳ１０３で送信したＰＤＣＰ  ＰＤＵが送信成功したか（すなわち、受信側に送達されたか）否かを確認する。なお、ＰＤＣＰ  ＰＤＵの送信に成功した場合とは、当該ＰＤＣＰ  ＰＤＵに対応するＲＬＣ  ＰＤＵのＡＣＫ情報（肯定応答）をプライマリＲＬＣエンティティ３Ａが受信側から受信した場合をいう。一方、ＰＤＣＰ  ＰＤＵの送信に失敗した場合とは、当該ＰＤＣＰ  ＰＤＵに対応するＲＬＣ  ＰＤＵのＮＡＣＫ情報（否定応答）をプライマリＲＬＣエンティティ３Ａが受信側から受信した場合、又は当該ＰＤＣＰ  ＰＤＵに対応するＲＬＣ  ＰＤＵのＡＣＫ情報をプライマリＲＬＣエンティティ３Ａが受信側から受信しない場合をいう。
【００６７】
プライマリＲＬＣエンティティ３ＡがＰＤＣＰ  ＰＤＵの送信に成功した場合（ステップＳ１０４：ＹＥＳ）、ステップＳ１０５において、プライマリＲＬＣエンティティ３Ａは、ＰＤＣＰ  ＰＤＵの送信成功（ＡＣＫ情報）をＰＤＣＰエンティティ２に通知する。当該ＡＣＫ情報は、当該ＰＤＣＰ  ＰＤＵのシーケンス番号を含んでいてもよい。ＰＤＣＰエンティティ２は、当該ＡＣＫ情報に応じて、ステップＳ１０１で保持したＰＤＣＰ  ＰＤＵを破棄する。
【００６８】
一方、プライマリＲＬＣエンティティ３ＡがＰＤＣＰ  ＰＤＵの送信に失敗した場合（ステップＳ１０４：ＮＯ）、ステップＳ１０６において、プライマリＲＬＣエンティティ３Ａは、ＰＤＣＰ  ＰＤＵの送信失敗（ＮＡＣＫ情報）をＰＤＣＰエンティティ２に通知する。当該ＮＡＣＫ情報は、当該ＰＤＣＰ  ＰＤＵのシーケンス番号を含んでいてもよい。
【００６９】
ステップＳ１０７において、ＰＤＣＰエンティティ２は、プライマリＲＬＣエンティティ３Ａから通知されたＮＡＣＫ情報に応じて、ステップＳ１０１で保持したＰＤＣＰ  ＰＤＵをセカンダリＲＬＣエンティティに提供する。
【００７０】
ステップＳ１０８において、プライマリＲＬＣエンティティ３Ａは、送信失敗したＰＤＣＰ  ＰＤＵの再送を行う。また、セカンダリＲＬＣエンティティは、ＰＤＣＰエンティティ２から提供されたＰＤＣＰ  ＰＤＵを送信（初送）する。具体的には、セカンダリＲＬＣエンティティ３Ｂは、ＰＤＣＰ  ＰＤＵに対応するＲＬＣ  ＰＤＵをＭＡＣエンティティ４（図７の場合はＭＡＣエンティティ４Ｂ）に提供することにより当該ＰＤＣＰ  ＰＤＵを送信する。
【００７１】
よって、プライマリＲＬＣエンティティ３Ａの初送が失敗した場合（すなわち、プライマリＲＬＣエンティティ３Ａが再送を行う場合）、セカンダリＲＬＣエンティティ３Ｂが同一ＰＤＣＰ  ＰＤＵを送信する。すなわち、プライマリＲＬＣエンティティ３Ａの再送時点から、重複送信状態となる。
【００７２】
動作例１において、プライマリＲＬＣエンティティ３Ａが送信に１回失敗した場合に重複送信を行っているが、このような動作に限定されない。プライマリＲＬＣエンティティ３ＡがＰＤＣＰ  ＰＤＵの送信に失敗した回数をＰＤＣＰエンティティ２又はプライマリＲＬＣエンティティ３Ａがカウントし、カウントされた回数が所定回数（例えば、３回）に達した場合に、重複送信を行ってもよい。なお、初送及び再送を含むトータルの送信回数をカウントすることに代えて、再送回数のみをカウントする構成としてもよい。
【００７３】
プライマリＲＬＣエンティティ３Ａがカウントを行う場合、送信失敗が所定回数に達した際にプライマリＲＬＣエンティティ３ＡからＰＤＣＰエンティティ２へＮＡＣＫ情報を通知する。ＰＤＣＰエンティティ２は、当該ＮＡＣＫ情報に応じて、保持しているＰＤＣＰ  ＰＤＵをセカンダリＲＬＣエンティティ３Ｂに提供する。
【００７４】
ＰＤＣＰエンティティ２がカウントを行う場合、ＰＤＣＰエンティティ２は、プライマリＲＬＣエンティティ３ＡからＮＡＣＫ情報を受け取った回数をカウントする。ＰＤＣＰエンティティ２は、当該ＮＡＣＫ情報を受け取った回数が所定回数に達した際に、保持しているＰＤＣＰ  ＰＤＵをセカンダリＲＬＣエンティティ３Ｂに提供する。
【００７５】
動作例１をＵＥ１００において実行する場合、所定回数は、ｇＮＢ２００からＲＲＣメッセージによりＵＥ１００に設定されてもよい。ＲＲＣメッセージは、ユニキャストメッセージであってもよいし、ブロードキャストメッセージであってもよい。
【００７６】
さらに、動作例１において、プライマリＲＬＣエンティティ３Ａ及びセカンダリＲＬＣエンティティ３Ｂが重複送信状態となった後、次のような動作を行ってもよい。具体的には、重複送信においてプライマリＲＬＣエンティティ３ＡがＰＤＣＰ  ＰＤＵの再送に失敗し、且つセカンダリＲＬＣエンティティ３ＢがＰＤＣＰ  ＰＤＵの送信に成功した場合、次のＰＤＣＰ  ＰＤＵをセカンダリＲＬＣエンティティ３Ｂが送信してもよい。
【００７７】
すなわち、今回のＰＤＣＰ  ＰＤＵの初送は、プライマリＲＬＣエンティティ３Ａ及びセカンダリＲＬＣエンティティ３Ｂのうち前回のＰＤＣＰ  ＰＤＵの送信に成功したＲＬＣエンティティが行う。
【００７８】
例えば、プライマリＲＬＣエンティティ３ＡでＲＬＣ再送が発生しており、セカンダリＲＬＣエンティティ３Ｂで同一パケットの送信に成功した場合、次のパケットの初送はセカンダリＲＬＣエンティティ３Ｂにて実施し、プライマリＲＬＣエンティティ３Ａは、セカンダリＲＬＣエンティティ３Ｂにおける送信失敗に応じて同一パケットの送信を開始する。このような動作は、プライマリＲＬＣエンティティ３Ａ及びセカンダリＲＬＣエンティティ３Ｂの役割が入れ替わるとみなすこともできるし、単に初送の伝送パスが変わるとみなすこともできる。
【００７９】
（３）動作例２
図９は、動作例２を示す図である。動作例１とは異なる動作を中心に動作例２について説明する。
【００８０】
図９に示すように、ステップＳ２０１において、ＰＤＣＰエンティティ２は、ＰＤＣＰ  ＰＤＵ（ＰＤＣＰパケット）を生成する。
【００８１】
ステップＳ２０２において、ＰＤＣＰエンティティ２は、ステップＳ２０１で生成されたＰＤＣＰ  ＰＤＵをプライマリＲＬＣエンティティ３Ａ及びセカンダリＲＬＣエンティティ３Ｂの両方に提供する。なお、プライマリＲＬＣエンティティ３Ａ及びセカンダリＲＬＣエンティティ３Ｂは、当該ＰＤＣＰ  ＰＤＵをＲＬＣ  ＳＤＵとして受け取る。
【００８２】
ステップＳ２０３において、セカンダリＲＬＣエンティティ３Ｂは、ＰＤＣＰエンティティ２から提供されたＰＤＣＰ  ＰＤＵを保持する。セカンダリＲＬＣエンティティ３Ｂは、重複送信がアクティブ化された場合であっても、ＰＤＣＰ  ＰＤＵを送信せずに待機する。
【００８３】
ステップＳ２０４において、プライマリＲＬＣエンティティ３Ａは、ＰＤＣＰエンティティ２から提供されたＰＤＣＰ  ＰＤＵを送信（初送）する。具体的には、プライマリＲＬＣエンティティ３Ａは、ＰＤＣＰ  ＰＤＵに対応するＲＬＣ  ＰＤＵをＭＡＣエンティティ４（図７の場合はＭＡＣエンティティ４Ａ）に提供することにより当該ＰＤＣＰ  ＰＤＵを送信する。
【００８４】
ステップＳ２０５において、プライマリＲＬＣエンティティ３Ａは、ステップＳ２０３で送信したＰＤＣＰ  ＰＤＵが送信成功したか（すなわち、受信側に送達したか）否かを確認する。
【００８５】
プライマリＲＬＣエンティティ３ＡがＰＤＣＰ  ＰＤＵの送信に成功した場合（ステップＳ２０５：ＹＥＳ）、ステップＳ２０６において、プライマリＲＬＣエンティティ３Ａは、ＰＤＣＰ  ＰＤＵの送信成功（ＡＣＫ情報）をＰＤＣＰエンティティ２及びセカンダリＲＬＣエンティティ３Ｂに通知する。当該ＡＣＫ情報は、当該ＰＤＣＰ  ＰＤＵのシーケンス番号を含んでいてもよい。セカンダリＲＬＣエンティティ３Ｂは、当該ＡＣＫ情報に応じて、ステップＳ２０３で保持したＰＤＣＰ  ＰＤＵを破棄する。或いは、セカンダリＲＬＣエンティティ３Ｂは、タイマが満了した場合に、当該ＰＤＣＰ  ＰＤＵ（ＲＬＣ  ＳＤＵ）を破棄するとしてもよい。セカンダリＲＬＣエンティティ３Ｂは、プライマリＲＬＣエンティティ３Ａから明示的なＡＣＫ情報を通知されなくとも、タイマが満了した場合に、当該ＰＤＣＰ  ＰＤＵ（ＲＬＣ  ＳＤＵ）を破棄するとしてもよい。当該タイマは、セカンダリＲＬＣエンティティ３Ｂが当該ＰＤＣＰ  ＰＤＵを受け取った際にスタートされてもよい。
【００８６】
一方、プライマリＲＬＣエンティティ３ＡがＰＤＣＰ  ＰＤＵの送信に失敗した場合（ステップＳ２０５：ＮＯ）、ステップＳ２０７において、プライマリＲＬＣエンティティ３Ａは、ＰＤＣＰ  ＰＤＵの送信失敗（ＮＡＣＫ情報）をセカンダリＲＬＣエンティティ３Ｂ（及びＰＤＣＰエンティティ２）に通知する。当該ＮＡＣＫ情報は、当該ＰＤＣＰ  ＰＤＵのシーケンス番号を含んでいてもよい。
【００８７】
ステップＳ２０８において、プライマリＲＬＣエンティティ３Ａは、送信失敗したＰＤＣＰ  ＰＤＵの再送を行う。また、セカンダリＲＬＣエンティティは、プライマリＲＬＣエンティティ３Ａから通知されたＮＡＣＫ情報に応じて、ステップＳ２０３で保持したＰＤＣＰ  ＰＤＵを送信（初送）する。よって、プライマリＲＬＣエンティティ３Ａの初送が失敗した場合（すなわち、プライマリＲＬＣエンティティ３Ａが再送を行う場合）、セカンダリＲＬＣエンティティ３Ｂが同一ＰＤＣＰ  ＰＤＵを送信する。すなわち、プライマリＲＬＣエンティティ３Ａの再送時点から、重複送信状態となる。
【００８８】
動作例２において、プライマリＲＬＣエンティティ３Ａが送信に１回失敗した場合に重複送信を行っているが、このような動作に限定されない。プライマリＲＬＣエンティティ３ＡがＰＤＣＰ  ＰＤＵの送信に失敗した回数をプライマリＲＬＣエンティティ３Ａ又はセカンダリＲＬＣエンティティ３Ｂがカウントし、カウントされた回数が所定回数（例えば、３回）に達した場合に、重複送信を行ってもよい。なお、初送及び再送を含むトータルの送信回数をカウントすることに代えて、再送回数のみをカウントする構成としてもよい。
【００８９】
プライマリＲＬＣエンティティ３Ａがカウントを行う場合、送信失敗が所定回数に達した際にプライマリＲＬＣエンティティ３ＡからセカンダリＲＬＣエンティティ３ＢへＮＡＣＫ情報を通知する。
【００９０】
セカンダリＲＬＣエンティティ３Ｂがカウントを行う場合、セカンダリＲＬＣエンティティ３Ｂは、プライマリＲＬＣエンティティ３ＡからＮＡＣＫ情報を受け取った回数をカウントする。セカンダリＲＬＣエンティティ３Ｂは、当該ＮＡＣＫ情報を受け取った回数が所定回数に達した際に、保持しているＰＤＣＰ  ＰＤＵを送信する。
【００９１】
動作例２をＵＥ１００において実行する場合、所定回数は、ｇＮＢ２００からＲＲＣメッセージによりＵＥ１００に設定されてもよい。ＲＲＣメッセージは、ユニキャストメッセージであってもよいし、ブロードキャストメッセージであってもよい。
【００９２】
さらに、動作例２において、プライマリＲＬＣエンティティ３Ａ及びセカンダリＲＬＣエンティティ３Ｂが重複送信状態となった後、次のような動作を行ってもよい。具体的には、重複送信においてプライマリＲＬＣエンティティ３ＡがＰＤＣＰ  ＰＤＵの再送に失敗し、且つセカンダリＲＬＣエンティティ３ＢがＰＤＣＰ  ＰＤＵの送信に成功した場合、次のＰＤＣＰ  ＰＤＵをセカンダリＲＬＣエンティティ３Ｂが送信してもよい。すなわち、今回のＰＤＣＰ  ＰＤＵの初送は、プライマリＲＬＣエンティティ３Ａ及びセカンダリＲＬＣエンティティ３Ｂのうち前回のＰＤＣＰ  ＰＤＵの送信に成功したＲＬＣエンティティが行う。
【００９３】
（その他の実施形態）
上述した実施形態において、第１の送信エンティティがプライマリＲＬＣエンティティ３Ａであり、第２の送信エンティティがセカンダリＲＬＣエンティティ３Ｂである一例について主として説明した。しかしながら、図１０に示すように、３重以上の重複送信を行う場合において、３つ以上のＲＬＣエンティティ３Ａ，３Ｂ，３Ｃ，・・・のうち任意の２つを第１及び第２の送信エンティティとして用いてもよいし、第１の送信エンティティ及び／又は第２の送信エンティティとして用いるＲＬＣエンティティを適宜切替えてもよい。
【００９４】
また、上述した実施形態に係る動作を複数のセカンダリＲＬＣエンティティ３Ｂ，３Ｃ，・・・内においてのみ適用する構成としてもよい。このような構成において、例えば、第１のセカンダリＲＬＣエンティティ３Ｂは第１の送信エンティティに相当し、第２のセカンダリＲＬＣエンティティ３Ｃは第２の送信エンティティに相当する。
【００９５】
また、図１０に示すように、３重以上の重複送信を行う場合において、プライマリＲＬＣエンティティ３Ａと第１のセカンダリＲＬＣエンティティ３Ｂとが常に重複送信を行ってもよい。そして、この重複送信におけるＡＣＫ情報／ＮＡＣＫ情報の状況に応じて、第２のセカンダリＲＬＣエンティティ３Ｃが重複送信を行うという構成であってもよい。
【００９６】
例えば、プライマリＲＬＣエンティティ３Ａと第１のセカンダリＲＬＣエンティティ３Ｂとの重複送信において、プライマリＲＬＣエンティティ３Ａ及び第１のセカンダリＲＬＣエンティティ３Ｂの両方が送信に失敗した（ＮＡＣＫ情報を受信した）場合に、プライマリＲＬＣエンティティ３Ａ及び第１のセカンダリＲＬＣエンティティ３Ｂがパケット再送を行うとともに、第２のセカンダリＲＬＣエンティティ３Ｃが同一パケットの送信を行う。このような構成において、プライマリＲＬＣエンティティ３Ａ又は第１のセカンダリＲＬＣエンティティ３Ｂは第１の送信エンティティに相当し、第２のセカンダリＲＬＣエンティティ３Ｃは第２の送信エンティティに相当する。
【００９７】
或いは、第１及び第２の送信エンティティは、ＲＬＣレイヤとは異なるレイヤのエンティティであってもよい。例えば、第１の送信エンティティは第１のＭＡＣエンティティであり、第２の送信エンティティは第２のＭＡＣエンティティであってもよい。第１の送信エンティティはＭＡＣエンティティ内の第１のＭＡＣサブエンティティであり、第２の送信エンティティは同一ＭＡＣエンティティ内の第２のＭＡサブＣエンティティであってもよい。
【００９８】
このような構成において、ＭＡＣ  ＳＤＵからＭＡＣ  ＰＤＵを生成する多重化処理の際にＭＡＣ  ＳＤＵを保持するとともに、第１のＭＡＣ（サブ）エンティティが送信を行い、第１のＭＡＣ（サブ）エンティティが送信に失敗した（すなわち、ＨＡＲＱ  ＮＡＣＫ情報が返ってきた）ときに、保持していたＭＡＣ  ＳＤＵを第２のＭＡＣ（サブ）エンティティが送信してもよい。
【００９９】
或いは、第１の送信エンティティは第１のＰＨＹエンティティであり、第２の送信エンティティは第２のＰＨＹエンティティであってもよい。第１のＰＨＹエンティティに対応するセルがアクティブ、第２のＰＨＹエンティティに対応するセルが非アクティブとみなし、第１のＰＨＹエンティティが送信を行い、第１のＰＨＹエンティティが送信に失敗したときに第２のＰＨＹエンティティが送信を行ってもよい。
【０１００】
なお、ＵＥ１００又はｇＮＢ２００が行う各処理をコンピュータに実行させるプログラムが提供されてもよい。プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１０１】
また、ＵＥ１００又はｇＮＢ２００が行う各処理を実行する回路を集積化し、ＵＥ１００又はｇＮＢ２００の少なくとも一部を半導体集積回路（チップセット、ＳｏＣ）として構成してもよい。
【０１０２】
以上、図面を参照して一実施形態について詳しく説明したが、具体的な構成は上述のものに限られることはなく、要旨を逸脱しない範囲内において様々な設計変更等をすることが可能である。
【０１０３】
本願は、日本国特許出願第２０１８−２０４５０４号（２０１８年１０月３０日出願）の優先権を主張し、その内容の全てが本願明細書に組み込まれている。
【図１】
2020090442.tif 000003
【図２】
2020090442.tif 000004
【図３】
2020090442.tif 000005
【図４】
2020090442.tif 000006
【図５】
2020090442.tif 000007
【図６】
2020090442.tif 000008
【図７】
2020090442.tif 000009
【図８】
2020090442.tif 000010
【図９】
2020090442.tif 000011
【図１０】
2020090442.tif 000012
【国際調査報告】
2020090442.tif 000013
2020090442.tif 000014
2020090442.tif 000015
2020090442.tif 000016